【手続補正書】
【提出日】令和1年8月5日(2019.8.5)
【手続補正１】
【補正対象書類名】特許請求の範囲
【補正対象項目名】請求項９
【補正方法】変更
【補正の内容】
【請求項９】
回転軸線、前記操作部、および、前記係合部を有し、回転軸線まわりに移動可能に前記ハウジングに設けられる操作部材を含み、
前記操作部は、前記回転軸線まわりの前記第１操作位置と、前記第２操作位置との間で移動可能であり、
前記回転軸線と前記操作部との間に前記係合部が設けられる、請求項６〜８のいずれか一項に記載の自転車用バッテリユニット。
【手続補正２】
【補正対象書類名】明細書
【補正対象項目名】００１４
【補正方法】変更
【補正の内容】
【００１４】
前記第６〜第８側面のいずれか１つに従う第９側面の自転車用バッテリユニットにおいて、回転軸線、前記操作部、および、前記係合部を有し、回転軸線まわりに移動可能に前記ハウジングに設けられる操作部材を含み、前記操作部は、前記回転軸線まわりの前記第１操作位置と、前記第２操作位置との間で移動可能であり、前記回転軸線と前記操作部材との間に前記係合部が設けられる。
上記第９側面に従えば、係合部が回転軸線と操作部との間に設けられるため、回転軸線と操作部との距離を一定とした場合に、係合部が回転軸線よりも操作部から遠くに設けられる構成と比較して、操作部を小さくすることができる。
【手続補正３】
【補正対象書類名】明細書
【補正対象項目名】００１６
【補正方法】変更
【補正の内容】
【００１６】
本発明の第１１側面に従う自転車用バッテリユニットの一形態は、バッテリセルが設けられるハウジングと、前記ハウジングに設けられる操作部と、前記操作部に連動し、自転車の被係合部と係合可能な係合部と、を含み、前記操作部は、第１操作位置と、第２操作位置との間で移動可能であり、前記被係合部は、第１被係合部および第２被係合部を含み、前記係合部は、第１係合部および第２係合部を含み、前記第１係合部は、前記操作部が前記第１操作位置に位置する場合に、前記自転車に設けられる第１被係合部と係合し、前記操作部が前記第２操作位置に位置する場合に、前記第１被係合部から離間するように構成され、前記第２係合部は、前記操作部が前記第１操作位置に位置する場合に、前記自転車に設けられる第２被係合部と係合し、前記操作部が前記第２操作位置に位置する場合に、前記第２被係合部から離間するように構成され、前記操作部が前記第１操作位置から前記第２操作位置に移動する場合に、前記第１係合部および前記第２係合部の相対位置が変化する。
上記第１１側面に従えば、自転車用バッテリユニットの取り外しを安定して行うことができる。また、第１係合部および第２係合部の相対位置を変化させるために第１係合部および第２係合部が異なる方向に移動する。このため、自転車用バッテリユニットを自転車に安定して取り付けることができる。
【手続補正４】
【補正対象書類名】明細書
【補正対象項目名】００４１
【補正方法】変更
【補正の内容】
【００４１】
自転車１０は、バッテリユニット５０の取付構造３０を含む。取付構造３０は、バッテリユニット５０と、自転車１０に設けられる被係合部３２（図１０参照）と、を含む。取付構造３０は、カバーを含んでもよい。取付構造３０がカバーを含む場合、バッテリユニット５０のハウジング５２は、カバーを取り付け可能なカバー取付部をさらに含むことが好ましい。カバーは、バッテリユニット５０がバッテリ収容部２６の収容空間２６Ａに収容された状態で、開口２６Ｂを覆う。バッテリユニット５０はバッテリ収容部２６およびカバーによって外部から保護される。
【手続補正５】
【補正対象書類名】明細書
【補正対象項目名】００４５
【補正方法】変更
【補正の内容】
【００４５】
一例では、バッテリユニット５０は、少なくともハウジング５２と、操作部材５４とを含む。一例では、バッテリユニット５０は、少なくともハウジング５２と、操作部５６と、係合部５８とを含む。バッテリユニット５０は、バッテリセル６０（図２参照）、および、制御部６２（図２参照）、コネクタ６４（図４参照）、付勢部６６、ガイド部６８、および、弾性部材７０をさらに含む。
【手続補正６】
【補正対象書類名】明細書
【補正対象項目名】００５０
【補正方法】変更
【補正の内容】
【００５０】
図３に示されるとおり、操作部５６は、ハウジング５２に設けられる。操作部５６および係合部５８は、第１端部７４に設けられる。具体的には、操作部５６および係合部５８を有する操作部材５４を支持する支持部８０が第１端部７４に取り付けられる。支持部８０は、ハウジング５２の長手方向において第１端部７４の端面に取り付けられる。支持部８０には、操作部材５４、第１支持部分８２、第２支持部分８４、付勢部６６（図６参照）、ガイド部６８（図６参照）、および、弾性部材７０が設けられる。
【手続補正７】
【補正対象書類名】明細書
【補正対象項目名】００６９
【補正方法】変更
【補正の内容】
【００６９】
図１０および図１１に示されるとおり、第２操作部９２は、第２回転軸線Ｃ２まわりの第５操作位置Ｐ５と、第６操作位置Ｐ６との間で移動可能である。第２操作部９２は、第２操作部材１０４のうちの第２端部１０４Ｂに設けられる。第２操作部９２は、ユーザが操作可能に構成される。図９に示されるとおり、第２操作部材１０４は、中間部１０４Ｃから第１端部１０４Ａまでの第１部分１０４Ｄと、中間部１０４Ｃから第２端部１０４Ｂまでの第２部分１０４Ｅとを含む。第２操作部材１０４は、第２回転軸線Ｃ２方向から見て、中間部１０４Ｃで折れ曲がった形状を有する。第１部分１０４Ｄの延びる方向と第２部分１０４Ｅの延びる方向とが所定角度を形成する。所定角度は、０°よりも大きく、９０°以下に選ばれることが好ましい。第２操作部９２に含まれる第２端部１０４Ｂは、第２支持部分８４からバッテリユニット５０の幅方向の外側に突出する。第２操作部９２は、第５操作位置Ｐ５にあるとき、第６操作位置Ｐ６にあるときよりも第２支持部分８４からの突出量が大きい。
【手続補正８】
【補正対象書類名】明細書
【補正対象項目名】００７９
【補正方法】変更
【補正の内容】
【００７９】
図１３に示されるとおり、プラグ取付部４４は、Ｕ字形状を有する。プラグ取付部４４の両端部の少なくとも一部と、プラグ支持部４８の少なくとも一部とは、ホルダ本体４６に囲まれる領域に配置される。プラグ取付部４４の両端部間の中間部が、バッテリ収容部２６に固定される。プラグ取付部４４は、Ｕ字形状の開口が開口２６Ｂを向くようにバッテリ収容部２６内に配置される。プラグ支持部４８は、プラグＰが嵌め込まれる孔４８Ａおよび軸部４８Ｂを含む。軸部４８Ｂは、プラグ支持部４８の幅方向の両端部からプラグ取付部４４の幅方向の内側に向かって突出する。プラグ支持部４８の幅方向は、自転車の幅方向と等しい。プラグ支持部４８の幅方向の両端部とホルダ本体４６との間には、プラグ取付部４４の一部が配置されている。軸部４８Ｂは、プラグ取付部４４に形成される凹部（図示略）に嵌め込まれる。プラグ取付部４４は、プラグ支持部４８を軸部４８Ｂの回転軸線まわりに回転可能に支持する。プラグＰは、プラグ支持部４８の孔４８Ａに挿入されて固定されている。プラグＰは、プラグ支持部４８からブラケット３６（図２参照）側に突出していることが好ましい。プラグ支持部４８を軸部４８Ｂの回転軸線まわりに回転させることによって、バッテリユニット５０をバッテリホルダ３４に取り付け、または、バッテリホルダ３４から取り外しするときに、バッテリユニット５０のコネクタをプラグＰに取り付け、または、バッテリホルダ３４から取り外ししやすくできる。プラグ支持部４８は、外部から力が与えられていない状態で、自重によって軸部４８Ｂの回転軸線まわりに回転し、プラグＰがフレーム１２の長手方向から下方に傾斜した方向に向くように構成されることが好ましい。軸部４８Ｂに、ばねなどの付勢部材を設けて、プラグ支持部４８は、外部から力が与えられていない状態で、プラグＰがフレームの長手方向から下方に傾斜した方向に向くように付勢してもよい。プラグ支持部４８には、軸部４８Ｂの回転軸線まわりに回転を規制する規制部４９が設けられる。規制部４９は、バッテリユニット５０がフレーム１２に取り付けられていない状態において、プラグ取付部４４に接触し、プラグ支持部４８を位置決めしている。プラグ支持部４８は、ブラケット３６（図２参照）側に突出するガイド部４８Ｃをさらに含む。図１４に示されるとおり、ガイド部４８Ｃは、バッテリユニット５０の下方の面に接触可能に構成される。ガイド部４８Ｃは、プラグ支持部４８から離れるにつれて、プラグ支持部４８の幅方向と垂直な断面が先細状になるように形成される。ガイド部４８Ｃのうちのバッテリユニット５０の下方の面と接触可能な面は、バッテリユニット５０の下方の面を案内する傾斜面を有する。バッテリユニット５０の第２端部７６には、外周部にガイド部４８Ｃが嵌まる溝が形成されている。ガイド部４８Ｃを設けることによって、バッテリユニット５０をバッテリホルダ３４に保持させるときに、バッテリユニット５０の溝をガイド部４８Ｃに接触させて案内させて、プラグＰとバッテリユニット５０のコネクタ６４とを円滑に接続することができる。
【手続補正９】
【補正対象書類名】明細書
【補正対象項目名】００８５
【補正方法】変更
【補正の内容】
【００８５】
ハウジング５２が自転車１０に取り付けられた状態において、係合部１１０は、自転車１０の幅方向に移動可能にハウジング５２に設けられる。係合部１１０は、被係合部３２（図１０参照）と係合可能である。係合部１１０は、操作部１０８に連動する。係合部１１０は、操作部１０８が第１操作位置に位置する場合に、被係合部３２と係合するように構成される。係合部１１０は、操作部１０８が第２操作位置に位置する場合に、被係合部３２から離間するように構成される。係合部１１０は、被係合部３２と係合した状態で、ハウジング５２が被係合部３２に対して下方に移動することを規制するように構成される。係合部１１０は、被係合部３２から離間した状態で、ハウジング５２が被係合部３２に対して下方に移動することを許容するように構成される。係合部１１０は、操作部１０８が第１操作位置にあるとき、操作部１０８が第２操作位置にあるときよりも支持部１０６からの突出量が大きい。
【手続補正１０】
【補正対象書類名】明細書
【補正対象項目名】００８８
【補正方法】変更
【補正の内容】
【００８８】
第１係合部１１２は、操作部１０８に連動する。第１係合部１１２は、操作部１０８が第１操作位置に位置する場合に、第１被係合部４０（図１０参照）と係合する。第１係合部１１２は、操作部１０８が第２操作位置に位置する場合に、第１被係合部４０から離間するように構成される。第１係合部１１２は、第１被係合部４０と係合した状態で、ハウジング５２が第１被係合部４０に対して下方に移動することを規制するように構成される。第１係合部１１２は、第１被係合部４０から離間した状態で、ハウジング５２が第１被係合部４０に対して下方に移動することを許容するように構成される。第１係合部１１２は、操作部１０８が第１操作位置にあるとき、操作部１０８が第２操作位置にあるときよりも支持部１０６からの突出量が大きい。
【手続補正１１】
【補正対象書類名】明細書
【補正対象項目名】００８９
【補正方法】変更
【補正の内容】
【００８９】
第２係合部１１４は、操作部１０８に連動する。第２係合部１１４は、操作部１０８が第１操作位置に位置する場合に、第２被係合部４２（図１０参照）と係合する。第２係合部１１４は、操作部１０８が第２操作位置に位置する場合に、第２被係合部４２から離間するように構成される。第２係合部１１４は、第２被係合部４２と係合した状態で、ハウジング５２が第２被係合部４２に対して下方に移動することを規制するように構成される。第２係合部１１４は、第２被係合部４２から離間した状態で、ハウジング５２が第２被係合部４２に対して下方に移動することを許容するように構成される。第２係合部１１４は、操作部１０８が第１操作位置にあるとき、操作部１０８が第２操作位置にあるときよりも支持部１０６からの突出量が大きい。
【手続補正１２】
【補正対象書類名】明細書
【補正対象項目名】００９６
【補正方法】変更
【補正の内容】
【００９６】
係合部１２８は、操作部材１３４のうちのバッテリユニット５０Ｂの幅方向の外側に突出する部分に設けられる。ハウジング５２が自転車１０に取り付けられた状態において、係合部１２８は、自転車１０の幅方向に移動可能にハウジング５２に設けられる。係合部１２８は、被係合部３２（図１０参照）と係合可能である。係合部１２８は、操作部１２２に連動する。係合部１２８は、操作部１２２が第１操作位置に位置する場合に、被係合部３２と係合するように構成される。係合部１２８は、操作部１２２が第２操作位置に位置する場合に、被係合部３２から離間するように構成される。係合部１２８は、被係合部３２と係合した状態で、ハウジング５２が被係合部３２に対して下方に移動することを規制するように構成される。係合部１２８は、被係合部３２から離間した状態で、ハウジング５２が被係合部３２に対して下方に移動することを許容するように構成される。係合部１２８は、操作部１２２が第１操作位置にあるとき、操作部１２２が第２操作位置にあるときよりも支持部１２０からの突出量が大きい。
【手続補正１３】
【補正対象書類名】明細書
【補正対象項目名】０１００
【補正方法】変更
【補正の内容】
【０１００】
第１操作部材１３６は、操作部１２２、および、第１係合部１３０を有する。
第１操作部１２４は、第３操作位置と、第４操作位置との間で移動可能である。第１操作部１２４は、ユーザが操作可能に構成される。第１操作部１２４は、支持部１２０から下側に突出する部分を含む。
【手続補正１４】
【補正対象書類名】明細書
【補正対象項目名】０１０４
【補正方法】変更
【補正の内容】
【０１０４】
第２操作部材１３８は、第２操作部１２６、および、第２係合部１３２を有する。
第２操作部１２６は、第５操作位置と、第６操作位置との間で移動可能である。第２操作部１２６は、ユーザが操作可能に構成される。第２操作部１２６は、支持部１２０から下側に突出する部分を含む。
【手続補正１５】
【補正対象書類名】明細書
【補正対象項目名】０１０９
【補正方法】変更
【補正の内容】
【０１０９】
ユーザは、第１操作部１２４および第２操作部１２６を幅方向の内側にスライドさせることによって第１操作部１２４および第２操作部１２６を第１操作位置から第２操作位置に移動させる。ユーザが第１操作部１２４および第２操作部１２６から手を離すと、第１操作部１２４および第２操作部１２６は、第１操作部材１３６および第２操作部材１３８のそれぞれに設けられる付勢部１４０Ａ，１４０Ｂの力によって第２操作位置から第１操作位置に戻る。
【手続補正１６】
【補正対象書類名】明細書
【補正対象項目名】０１１５
【補正方法】変更
【補正の内容】
【０１１５】
・第１および第３実施形態の第１操作部９０，１２４および第２操作部９２，１２６を所定の平面に対して非対称に設けることもできる。例えば、第１操作部９０，１２４および第２操作部９２，１２６の一方を、支持部８０，１０６，１２０の下方の端部から突出するように設ける。